(57)【特許請求の範囲】
【請求項１】
コネクタ本体と、
前記コネクタ本体の両外側面に沿って配される一対のアーム側板と該一対のアーム側板を連結する連結部とを有する断面コ字状をなし、前記一対のアーム側板にそれぞれ形成された軸受孔を前記コネクタ本体の両外側面に突設された軸部に嵌合させることで前記コネクタ本体に回動可能に装着され、該コネクタ本体を相手コネクタと嵌合する際に回動操作されることで、相手コネクタと前記コネクタ本体とをてこの作用で嵌合させるレバーと、
を備えたレバー付きコネクタの前記レバーをコネクタ本体に組み付けるためのレバー組付装置であって、
前記コネクタ本体を上方からセットすることで該コネクタ本体を保持する基台と、
前記基台上に保持された前記コネクタ本体を覆うように前記基台に装着されて解除方向に移動可能なレバー挿入治具と、を有し、
前記レバー挿入治具は、左右一対の側板と、該一対の側板の上端同士を繋ぐ連結板と、を有するとともに、
前記一対の側板の前記解除方向とは反対側の各前端に、組み付ける姿勢の前記レバーの、前記一対のアーム側板の内面と摺動可能な第１傾斜面を有する嵌合案内部を備え、
前記レバーを前記コネクタ本体に向けて押し下げた際に、
前記嵌合案内部は、前記第１傾斜面が前記両アーム側板の内面と摺動することにより前記両アーム側板を外側に弾性変形させて前記両アーム側板の間隔を広げ、
前記軸受孔が前記軸部との嵌合可能な位置に達した段階で、前記第１傾斜面が前記両アーム側板と摺動する位置から外れることにより、前記両アーム側板が元の位置に復元して前記軸受孔が前記軸部に嵌合される
ことを特徴とするレバー付きコネクタ用のレバー組付装置。
【請求項２】
前記レバー挿入治具は、前記解除方向とは反対側の前端側の縁部に、前記両アーム側板の外縁と摺動可能な案内傾斜部である第１の解除誘導部が設けられ、
前記軸受孔が前記軸部に嵌合可能な位置まで到達して前記案内傾斜部に前記両アーム側板の外縁が当接した状態で、前記レバーが前記コネクタ本体側に更に押し下げられることで、前記レバー挿入治具が前記解除方向に移動可能である
ことを特徴とする請求項１に記載のレバー付きコネクタ用のレバー組付装置。
【請求項３】
前記レバー挿入治具は、前記嵌合案内部の前記解除方向とは反対側の各前端に、前記レバー挿入治具の前記解除方向への移動開始時に前記両アーム側板の内面に摺動可能な第２の傾斜面である第２の解除誘導部が設けられ、
前記レバー挿入治具は、前記両アーム側板の弾性復元力の作用で、前記両アーム側板から前記第２の傾斜面に前記解除方向の助勢力を受ける
ことを特徴とする請求項２に記載のレバー付きコネクタ用のレバー組付装置。
【請求項４】
前記基台に、
前記レバーの組付作業時における前記コネクタ本体の浮き上がりを防止する浮き上がり防止壁が設けられている
ことを特徴とする請求項１〜３のいずれか一項に記載のレバー付きコネクタ用のレバー組付装置。
【請求項５】
前記コネクタ本体の後部に、該コネクタ本体の後部から引き出された電線を所定の方向に誘導する電線カバーが装着されており、
前記レバー挿入治具が、前記電線カバーを装着した状態の前記コネクタ本体の上方から前記電線カバーを跨ぐようにして前記基台に装着可能とされている
ことを特徴とする請求項１〜４のいずれか一項に記載のレバー付きコネクタ用のレバー組付装置。
【発明の詳細な説明】
【技術分野】
【０００１】
本発明は、レバー付きコネクタ用のレバー組付装置に関するものである。
【背景技術】
【０００２】
特許文献１に、レバーを回動操作することによって、一対のコネクタを嵌合するレバー式コネクタが開示されている。このレバー式コネクタでは、一方のコネクタにレバーが回動可能に取り付けられており、他方のコネクタのカムピンをレバーのカム溝に係合させた状態で、レバーを初期位置から嵌合位置へ回動させることにより、両コネクタを嵌合させることができるようになっている。
【０００３】
この種のレバー付きコネクタにおいては、レバーは、左右一対のアーム側板と、両アーム側板を連結する連結部とを有する断面コ字状をなしており、レバーをコネクタ本体に組み付ける際には、一対のアーム側板を弾性を利用して外側に広げながら、両アーム側板に形成された軸受孔をコネクタ本体の両外側面に形成された軸部に嵌合させるようにしている。
【先行技術文献】
【特許文献】
【０００４】
【特許文献１】特開２０１０−１４６９５０号公報
【発明の概要】
【発明が解決しようとする課題】
【０００５】
ところで、レバーの両アーム側板を広げながら、アーム側板に形成された軸受孔をコネクタ本体に突設された軸部に嵌合させる作業は、簡単に行えるものはではなく、手間と時間と熟練を要するものであった。特にコネクタ本体の後部に電線カバーが装着されているような場合は、電線カバーとレバーの隙間が小さくなるため、電線カバーが邪魔になって、レバーがいっそう装着しづらくなるという問題があった。
【０００６】
本発明は、上述した事情に鑑みてなされたものであり、その目的は、コネクタ本体に対してレバーを容易に組み付けることができるようにしたレバー付きコネクタ用のレバー組付装置を提供することにある。
【課題を解決するための手段】
【０００７】
本発明の上記目的は、下記の構成により達成される。
（１）  コネクタ本体と、
前記コネクタ本体の両外側面に沿って配される一対のアーム側板と該一対のアーム側板を連結する連結部とを有する断面コ字状をなし、前記一対のアーム側板にそれぞれ形成された軸受孔を前記コネクタ本体の両外側面に突設された軸部に嵌合させることで前記コネクタ本体に回動可能に装着され、該コネクタ本体を相手コネクタと嵌合する際に回動操作されることで、相手コネクタと前記コネクタ本体とをてこの作用で嵌合させるレバーと、
を備えたレバー付きコネクタの前記レバーをコネクタ本体に組み付けるためのレバー組付装置であって、
前記コネクタ本体を上方からセットすることで該コネクタ本体を保持する基台と、
前記基台上に保持された前記コネクタ本体を覆うように前記基台に装着されて解除方向に移動可能なレバー挿入治具と、を有し、
前記レバー挿入治具は、左右一対の側板と、該一対の側板の上端同士を繋ぐ連結板と、を有するとともに、
前記一対の側板の前記解除方向とは反対側の各前端に、組み付ける姿勢の前記レバーの、前記一対のアーム側板の内面と摺動可能な第１傾斜面を有する嵌合案内部を備え、
前記レバーを前記コネクタ本体に向けて押し下げた際に、
前記嵌合案内部は、前記第１傾斜面が前記両アーム側板の内面と摺動することにより前記両アーム側板を外側に弾性変形させて前記両アーム側板の間隔を広げ、
前記軸受孔が前記軸部との嵌合可能な位置に達した段階で、前記第１傾斜面が前記両アーム側板と摺動する位置から外れることにより、前記両アーム側板が元の位置に復元して前記軸受孔が前記軸部に嵌合される
ことを特徴とするレバー付きコネクタ用のレバー組付装置。
【０００８】
（２）  前記レバー挿入治具は、前記解除方向とは反対側の前端側の縁部に、前記両アーム側板の外縁と摺動可能な案内傾斜部である第１の解除誘導部が設けられ、
前記軸受孔が前記軸部に嵌合可能な位置まで到達して前記案内傾斜部に前記両アーム側板の外縁が当接した状態で、前記レバーが前記コネクタ本体側に更に押し下げられることで、前記レバー挿入治具が前記解除方向に移動可能である
ことを特徴とする上記（１）に記載のレバー付きコネクタ用のレバー組付装置。
【０００９】
（３）  前記レバー挿入治具は、前記嵌合案内部の前記解除方向とは反対側の各前端に、前記レバー挿入治具の前記解除方向への移動開始時に前記両アーム側板の内面に摺動可能な第２の傾斜面である第２の解除誘導部が設けられ、
前記レバー挿入治具は、前記両アーム側板の弾性復元力の作用で、前記両アーム側板から前記第２の傾斜面に前記解除方向の助勢力を受ける
ことを特徴とする上記（２）に記載のレバー付きコネクタ用のレバー組付装置。
【００１０】
（４）  前記基台に、
前記レバーの組付作業時における前記コネクタ本体の浮き上がりを防止する浮き上がり防止壁が設けられている
ことを特徴とする上記（１）〜（３）のいずれかに記載のレバー付きコネクタ用のレバー組付装置。
【００１１】
（５）  前記コネクタ本体の後部に、該コネクタ本体の後部から引き出された電線を所定の方向に誘導する電線カバーが装着されており、
前記レバー挿入治具が、前記電線カバーを装着した状態の前記コネクタ本体の上方から前記電線カバーを跨ぐようにして前記基台に装着可能とされている
ことを特徴とする上記（１）〜（４）のいずれかに記載のレバー付きコネクタ用のレバー組付装置。
【００１２】
上記（１）の構成のレバー組付装置によれば、レバーの両アーム側板を外側に広げるためのレバー挿入治具とは別に、コネクタ本体をセットするための基台を有しているので、レバー組付時にコネクタ本体を安定して保持することができ、レバーの組付作業がやりやすくなる。また、基台にセットしたコネクタ本体の上方からレバー挿入治具を基台に装着することにより、コネクタ本体の両外側面に突設した軸部のちょうど上側に、レバー挿入治具の嵌合案内部を位置決めすることができる。
【００１３】
そのため、レバー挿入治具の上方からレバーをコネクタ本体に向けて押し下げることにより、レバーの両アーム側板をレバー挿入治具の嵌合案内部に摺動させることができ、それによって、レバーの両アーム側板を外側に弾性変形させて両アーム側板の間隔を広げることができる。
【００１４】
そして、両アーム側板の軸受孔がコネクタ本体の軸部に嵌合可能な位置まで到達した段階で、レバー挿入治具を解除方向に移動させることにより、レバー挿入治具の嵌合案内部をアーム側板に対し摺動する位置から外すことができ、それにより、弾性変形していたアーム側板を元の位置に弾性復元させることができて、アーム側板の軸受孔をコネクタ本体の軸部に嵌合させることができ、レバーの取付を完了することができる。
【００１５】
上記（２）の構成のレバー組付装置によれば、両アーム側板の軸受孔がコネクタ本体の軸部に嵌合可能な位置まで到達した段階で、更にレバーを押し下げることによって、レバー挿入治具を解除方向に移動させることができるので、レバー挿入治具の解除操作が容易にできるようになる。
【００１６】
上記（３）の構成のレバー組付装置によれば、レバーの両アーム側板の弾性復元力によりレバー挿入治具を解除方向に移動させる助勢力を発生するようにしているので、より簡単にレバー挿入治具の解除操作を行うことができる。
【００１７】
上記（４）の構成のレバー組付装置によれば、レバー組付作業時にコネクタ本体を浮き上がらないように押さえ付けておくことができるので、良好な作業性を確保することができる。
【００１８】
上記（５）の構成のレバー組付装置によれば、コネクタ本体の後部に電線カバーが装着されている場合にも、その電線カバーを跨ぐようにしてレバー挿入治具を基台に装着することができるので、電線カバーが装着されることによってレバーとの隙間が小さくなる場合であっても、レバーを容易にコネクタ本体に組み付けることができる。
【発明の効果】
【００１９】
本発明によれば、基台とレバー挿入治具を備えているので、コネクタ本体に対してレバーを容易に組み付けることができる。特にコネクタ本体の後部に電線カバーが装着されている場合であっても、レバー挿入治具によってレバーを容易に組み付けることができる。
【００２０】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２１】
【図１】本発明の実施形態のレバー組付装置の構成要素と、電線カバー付きコネクタ本体とレバーを示す斜視図である。
【図２】前記レバー組付装置の構成要素である基台とレバー挿入治具と電線カバー付きコネクタ本体とレバーとを組付順に示す側面図である。
【図３】前記レバー挿入治具の構成図で、（ａ）は側面図、（ｂ）は上面図である。
【図４】前記基台に電線カバー付きコネクタ本体とレバー挿入治具とを組み付け、その上からレバーを組み付けようとしている状態を示す側面図である。
【図５】前記レバーをコネクタ本体に向けて押し下げた際の初期段階の状態を示す側面図である。
【図６】更にレバーを押し下げることにより、レバー挿入治具の作用によってレバーの両側板が外に広がり、レバーの軸受孔とコネクタ本体の軸部が嵌合可能な位置に達した状態を示す側面図である。
【図７】前記レバーの軸受孔とコネクタ本体の軸部が互いに嵌合すると共に、レバーの押し下げによってレバー挿入治具が解除方向（矢印Ｃ方向）に移動することを示す側面図である。
【図８】前記レバーの回動により、レバー挿入治具を更に解除方向に移動させている状態を示す側面図である。
【図９】前記レバーを更に回動させることにより、レバー挿入治具を更に解除方向に移動させた状態を示す側面図である。
【図１０】本実施形態と比較例を示すためもので、（ａ）は本実施形態のレバー挿入治具を、コネクタ本体を保持する基台に装着した状態を示す側面図、（ｂ）は比較例のレバー挿入治具を、コネクタ本体を保持する基台に装着した状態を示す側面図である。
【図１１】図１０の（ａ）、（ｂ）に対応する図であり、（ａ）は本実施形態の場合で、レバーを組み付けのために押し下げることによって、レバー挿入治具が解除方向（矢印Ｃ方向）に移動することを示す側面図、（ｂ）は比較例の場合で、レバーを組み付けのために押し下げることによって、レバー挿入治具が解除方向に移動しないため、人手操作（矢印Ｄ）により移動させることが必要があることを示す側面図である。
【図１２】前記実施形態のレバー組付装置の基台とコネクタ本体の関係を示す側断面図及びその要部拡大図である。
【図１３】前記実施形態のレバー組付装置を、電線カバー無しのコネクタ本体にレバーを組み付ける際に利用している状態を示す側断面図である。
【発明を実施するための形態】
【００２２】
以下、本発明の実施形態を図面を参照して説明する。
図１は実施形態のレバー組付装置の構成要素である基台及びレバー挿入治具と、電線カバー付きコネクタ本体とコネクタ本体に装着されるレバーの構成を示している。また、図２は基台とレバー挿入治具と電線カバー付きコネクタ本体とレバーとを組付順に示している。
【００２３】
図１に示すように、ここで組み付けの対象とするものは、電線カバー３０の付いたコネクタ本体１０に装着するレバー２０である。このレバー２０をコネクタ本体１０に組み付ける装置として、基台５０とレバー挿入治具６０とが用意されている。
【００２４】
コネクタ本体１０は、樹脂製のコネクタハウジング１１の内部に金属製の複数の端子（図示せず）を収容したもので、略直方体形状のコネクタハウジング１１の幅広の両外側面の中央に、レバー２０を組み付けるために突設された軸部１３を有している。また、コネクタ本体１０の相手コネクタと嵌合する方向における後部（図１中上部）には、電線カバー３０が装着されている。この電線カバー３０は、コネクタ本体１０の後端から引き出された電線を屈曲カバー部３１で側方に曲げ、導出カバー部３２で所定の方向に誘導するように構成されている。
【００２５】
レバー２０は、電線カバー３０の装着されたコネクタ本体１０の後方からコネクタ本体１０に装着できるように構成されており、コネクタ本体１０の両外側面に沿って配される一対のアーム側板２１と、該一対のアーム側板２１を連結する連結部２２とを有する断面コ字状をなしている。一対のアーム側板２１には、それぞれ軸受孔２３が設けられており、一対のアーム側板２１の軸受孔２３をコネクタ本体１０の両外側面に突設された軸部１３に嵌合させることで、レバー２０はコネクタ本体１０に回動可能に装着される。そして、コネクタ本体１０を相手コネクタと嵌合する際にレバーを回動操作することで、相手コネクタとコネクタ本体１０とをてこの作用で嵌合させることができるようになっている。
【００２６】
このレバー２０をコネクタ本体１０に組み付けるための装置は、コネクタ本体１０を上方からセットすることでコネクタ本体１０を保持する基台５０と、この基台５０に装着されるレバー挿入治具６０とからなる。
【００２７】
基台５０は、概略直方体箱型のもので、互いに平行な左右一対の側壁５１と、該一対の側壁５１の前端縁間を結合する前壁５２と、両側壁５１と前壁５２とに周縁部が支持されて両側壁５１及び前壁５２の上端より低まった位置に水平に配されたコネクタ載置板５３とを有している。コネクタ載置板５３は、その上面が、上方から下向きに側壁５１間に押し込んだコネクタ本体１０の前面（相手コネクタとの嵌合側の面）を載置する面となっている。
【００２８】
また、コネクタ載置板５３の後方（前壁５２から離れる方向）の左右側壁５１の内面上部には、レバー挿入治具６０の装着部５４が設けられている。この治具装着部５４は、レール状の段部により構成されている。更に、前壁５２の上端内面には、コネクタ載置板５３にコネクタ本体１０を載せた状態で、コネクタ本体１０の浮き上がりを防止する浮き上がり防止壁５２ａが突設されている（図１２参照）。
【００２９】
一方、レバー挿入治具６０は、図４に示すように、コネクタ本体１０を上方から基台５０にセットした状態で、基台５０に対しコネクタ本体１０を覆うように上方から装着されるものであり、図１及び図３（ａ）、（ｂ）に示すように、左右一対の側板６１と、左右一対の側板６１の上端同士を繋ぐ連結板６２とを有している。左右一対の側板６１は、基台５０の左右側壁５１の内面に沿って挿入できる寸法に形成されており、左右一対の側板６１の下端を、基台５０の側壁５１の内面上部に形成された治具装着部５４の上に載置できるようになっている。
【００３０】
レバー挿入治具６０の左右側板６１の各前端には、それぞれ突片状の嵌合案内部６３が突設されている。また、レバー挿入治具６０の左右側板６１の前端縁には、嵌合案内部６３の外側面より外側に位置させて、上から順に第１案内傾斜部６４と第２案内傾斜部６５とが設けられている。
【００３１】
レバー挿入治具６０の嵌合案内部６３は、基台５０に保持されたコネクタ本体１０に向けて上方からレバー２０を押し下げた際に、押し下げるに従ってレバー２０の一対のアーム側板２１の内面が摺動することで、該一対のアーム側板２１を外側に弾性変形させて両アーム側板２１の間隔を広げ、それにより、両アーム側板２１に形成された軸受孔２３をコネクタ本体１０の両外側面１２に突設された軸部１３に嵌合するよう案内する部分である。そのために、突片状の嵌合案内部６３の上部外側面には、レバー２０のアーム側板２１を外側に広げる第１傾斜面６３ａが設けられている。
【００３２】
また、これら左右の突片状の嵌合案内部６３は、両アーム側板２１の軸受孔２３がコネクタ本体１０の軸部１３と位置が合った段階で、レバー挿入治具６０が解除方向に移動させられて両アーム側板２１と摺動する位置から外れることにより、両側板２１を元の位置に復元させて、軸受孔２３を軸部１３に嵌合させる役目を担っている。
【００３３】
ここで、レバー挿入治具６０の左右側板６１の前端縁に形成された下側の第２案内傾斜部６５は、レバー２０をコネクタ本体１０に向けて押し下げた結果、両アーム側板２１の軸受孔２３がコネクタ本体１０の軸部１３に嵌合可能な位置まで到達した段階で、更にコネクタ本体１０に向けて押し下げられるレバー２０の両アーム側板２１の外縁と当接することで、レバー挿入治具６０を解除方向（図７中の矢印Ｃ方向）に移動させる第１の解除誘導部として機能する部分である。
【００３４】
また、嵌合案内部６３の前端外側面には、第１の解除誘導部として機能する前記第２案内傾斜部６５の働きによってレバー挿入治具６０が解除方向（図７中の矢印Ｃ方向）に移動させられて両アーム側板２１が元の位置に復元するときに、その弾性復元力によってレバー挿入治具６０を更に解除方向に移動させる助勢力を発生する第２傾斜面（第２の解除誘導部）６３ｂが設けられている。
【００３５】
なお、上述の第１傾斜面６３ａ、第１案内傾斜部６４、第２案内傾斜部６５（第１の解除誘導部）、第２傾斜面６３ｂ（第２の解除誘導部）の機能については、以下の作用の説明の中で明らかにする。
【００３６】
次に作用を説明する。
電線カバー３０付きコネクタ本体１０にレバー２０を組み付ける場合は次の手順で行う。
【００３７】
まず、図４に示すように、基台５０にコネクタ本体１０をセットする。即ち、コネクタ本体１０の前面（相手コネクタと嵌合する面）を下にしてコネクタ本体１０を基台５０の左右側壁５１の間に挿入し、コネクタ本体１０の前面をコネクタ載置板５３の上に載せる。こうすることで、図１２に示すように、コネクタ本体１０は、基台５０浮き上がり防止壁５２ａにより作業中に浮き上がらないように止められる。この状態で、基台５０の上にレバー挿入治具６０を装着する。この際、レバー挿入治具６０は、コネクタ本体１０及び電線カバー３０を跨ぐように装着される。
【００３８】
次に図５に示すように、上方からレバー２０を、アーム側板２１の先端を下にし連結部２２を上にした姿勢で矢印Ａ方向に押し下げる。そうすると、レバー２０のアーム側板２１の外周縁の一部がレバー挿入治具６０の第１案内傾斜部６４に案内されながら、アーム側板２１の下端側がレバー挿入治具６０の嵌合案内部６３の第１の傾斜面６３ａ（図２参照）に乗り上げる。乗り上げるに従い、アーム側板２１は外側に弾性変形し、左右のアーム側板２１の間隔が広がって行く。
【００３９】
更にレバー２０を矢印Ａ方向に押し下げると、図６に示すように、アーム側板２１の周縁の一部が、今度はレバー挿入治具６０の第２案内傾斜部６５に引き続いて案内されながら、アーム側板２１の中央部がレバー挿入治具６０の嵌合案内部６３に乗り上げて行く。そしてそれにより、広がったアーム側板２１の軸受孔２３がコネクタ本体１０の軸部１３の位置に到達するようになる。
【００４０】
その状態で更にレバー２０を矢印Ａ方向に押し下げると、図７に示すように、押し下げられたレバー２０の外周縁が第２案内傾斜部６５に当たることによって、レバー挿入治具６０が解除方向である矢印Ｃ方向に押し移動される。それにより、レバー挿入８治具６０の嵌合案内部６３が、両アーム側板２１と摺動する位置から徐々に外れることになり、それに伴い両アーム側板２１が元の位置に復元して行き軸受孔２３が軸部１３に嵌合する。
【００４１】
このアーム側板２１が元の位置に復元する過程で、図８に示すように、レバー２０を矢印Ｂ方向に回動させると、アーム側板２１の外周縁の一部が嵌合案内部６３の第２の傾斜面６３ｂ（第２の解除誘導部）に摺動することにより、レバー挿入治具６０を更に解除方向（矢印Ｃ方向）に移動させる助勢力が発生する。また、レバー２０の回動により、レバー２０の先端が、レバー挿入治具６０を解除方向（矢印Ｃ方向）に押し移動する。
【００４２】
図９に示すように、レバー２０を限界位置まで回動させることにより、レバー挿入治具６０を解除方向に大きく移動させることができる。それによりレバー２０のアーム側板２１が嵌合案内部６３から完全に離れ、それに伴いアーム側板２１が完全に元の位置に復元して、軸受孔２３が軸部１３に確実に嵌合する。これにより、レバー２０の組み付けが完了する。
【００４３】
組み付けが完了したら、レバー挿入治具６０を上方に取り外し、レバー２０の付いたコネクタ本体１０を基台５０から取り外して作業を終える。
【００４４】
このようにレバー組付装置である基台５０とレバー挿入治具６０を用いることにより、簡単にレバー２０をコネクタ本体１０に組み付けることができる。この際、レバー２０の両アーム側板２１を外側に広げるためのレバー挿入治具６０とは別に、コネクタ本体１０をセットするための基台５０を有しているので、レバー２０の組付時にコネクタ本体１０を安定して保持することができ、レバー２０の組付作業がやりやすくなる。
【００４５】
また、基台５０にセットしたコネクタ本体１０の上方からレバー挿入治具６０を基台５０に装着することにより、コネクタ本体１０の両外側面１２に突設した軸部１３のちょうど上側に、レバー挿入治具６０の嵌合案内部６３を位置決めすることができる。そのため、レバー挿入治具６０の上方からレバー２０をコネクタ本体１０に向けて押し下げるだけで、レバー２０の両アーム側板２１をレバー挿入治具６０の嵌合案内部６３に摺動させることができ、それによって、レバー２０の両アーム側板２１を外側に弾性変形させて両アーム側板２１の間隔を広げることができる。
【００４６】
そして、両アーム側板２１の軸受孔２３がコネクタ本体１０の軸部１３に嵌合可能な位置まで到達した段階で、レバー挿入治具６０を解除方向に移動させることにより、レバー挿入治具６０の嵌合案内部６３をアーム側板２１に対し摺動する位置から外すことができ、それにより、弾性変形していたアーム側板２１を元の位置に弾性復元させることができて、アーム側板２１の軸受孔２３をコネクタ本体１０の軸部１３に嵌合させることができ、レバー２０の取り付けを完了することができる。
【００４７】
特に、本実施形態では、レバー挿入治具６０の前端縁に第２案内傾斜部６５（第１の解除委誘導部）を設けたことにより、両アーム側板２１の軸受孔２３がコネクタ本体１０の軸部１３に嵌合可能な位置まで到達した段階で、更にレバー２０を押し下げることによってレバー挿入治具６０を解除方向に移動させることができるので、レバー挿入治具６０の解除操作が容易にできるようになる。
【００４８】
この点を、第２案内傾斜部６５（第１の解除委誘導部）が無い場合と比較してみる。
図１０（ａ）は本実施形態のレバー挿入治具を、コネクタ本体を保持する基台に装着した状態を示す側面図、（ｂ）は比較例のレバー挿入治具を、コネクタ本体を保持する基台に装着した状態を示す側面図、図１１は図１０（ａ）、図１０（ｂ）に対応する図であり、図１１（ａ）は本実施形態の場合で、レバーを組み付けのために押し下げることによって、レバー挿入治具が解除方向（矢印Ｃ方向）に移動することを示す側面図、図１１（ｂ）は比較例の場合で、レバーを組み付けのために押し下げることによって、レバー挿入治具が解除方向に移動しないため、人手操作（矢印Ｄ）により移動させることが必要があることを示す側面図である。
【００４９】
図１０（ａ）に示すように、本実施形態の場合は、レバー挿入治具６０の前端縁に第２案内傾斜部６５（第１の解除委誘導部）が付いているが、（ｂ）に示す比較例の場合は、レバー挿入治具６０の前端縁に第２案内傾斜部６５（第１の解除委誘導部）が付いていない。従って、レバー２０を組み付けようとする際に、図１１（ａ）に示すように本実施形態の場合は、レバー２０を組み付けのために矢印Ａ方向に押し下げることによって、レバー挿入治具６０は解除方向（矢印Ｃ方向）に移動する。それに対し、図１１（ｂ）に示すように比較例の場合は、レバー２０を組み付けのために押し下げるだけでは、レバー挿入治具６０が解除方向に移動しない。そこで、人手操作（矢印Ｄ）により移動させる必要がある。
【００５０】
このように、レバー挿入治具６０を敢えて手操作で解除方向に移動させる必要があると作業が面倒になるが、本実施形態の場合は、レバー２０の押し下げ操作だけでレバー挿入治具６０を解除方向に移動できるので、操作が簡単にできる。
【００５１】
また、嵌合案内部６３に第２の傾斜面６３ｂ（第２の解除誘導部）を設けたことにより、レバー２０の両アーム側板２１の弾性復元力によりレバー挿入治具６０を解除方向に移動させる助勢力を発生するようにしているので、より簡単にレバー挿入治具６０の解除操作を行うことができる。
【００５２】
また、本実施形態では、基台５０に浮き上がり防止壁５２ａを突設したことにより、レバー２０の組付作業時にコネクタ本体１０を浮き上がらないように押さえ付けておくことができるので、良好な作業性を確保することができる。
【００５３】
また、本実施形態では、コネクタ本体１０の後部に電線カバー３０が装着されている場合にも、その電線カバー３０を跨ぐようにしてレバー挿入治具６０を基台５０に装着できるようにしているので、図１２に示すように、電線カバー３０が装着されることによってレバー２０との隙間が小さくなる場合であっても、レバー２０を容易にコネクタ本体１０に組み付けることができる。
【００５４】
また、図１３に示すように電線カバー無しの場合でも、レバー挿入治具６０を上からコネクタ本体１０を跨ぐように被せることにより、レバー２０の組み付け時に電線Ｗを挟み込まないようにすることができるので、レバー２０の組み付け容易化を図ることができる。
【００５５】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００５６】
１０  コネクタ本体
１２  外側面
１３  軸部
２０  レバー
２１  アーム側板
２２  連結部
２３  軸受孔
３０  電線カバー
５０  基台
５２ａ  浮き上がり防止壁
６０  レバー挿入治具
６３  嵌合案内部
６３ｂ  第２の傾斜面（第２の解除誘導部）
６５  第２案内傾斜部（第１の解除誘導部）
【図１】
0005856869.tif 000002
【図２】
0005856869.tif 000003
【図３】
0005856869.tif 000004
【図４】
0005856869.tif 000005
【図５】
0005856869.tif 000006
【図６】
0005856869.tif 000007
【図７】
0005856869.tif 000008
【図８】
0005856869.tif 000009
【図９】
0005856869.tif 000010
【図１０】
0005856869.tif 000011
【図１１】
0005856869.tif 000012
【図１２】
0005856869.tif 000013
【図１３】
0005856869.tif 000014